(57)【特許請求の範囲】
【請求項１】
平面真円状を呈するバランス用環状重り(２)の中心部に、所要高さを具えた支柱(１)を位置させると共に、当該バランス用環状重り(２)を、当該支柱(１)の上端に取付けた３本以上の所要吊り線(３)を介して、平面上無指向的振れ動きが可能化されるように等角度の位置において吊設して成り、当該支柱(１)は墓石の竿石(A)の頂面中心部に固定されるように構成した墓石用免震具。
【請求項２】
支柱(１)の下端に取付用座盤(1a)を連設すると共に、当該取付用座盤(1a)を墓石の竿石(A)の頂面中心部に対して接着する様に構成した請求項１に記載の墓石用免震具。
【請求項３】
止めリング(４)に対して前記吊り線(３)の基端を等間隔で取り付け、当該止めリング(４)は支柱(１)の上端に嵌着すると共に、支柱(１)の上端寄りに嵌着した滑り止め用ゴム製パイプ材(６)と、支柱(1)の上端に取付けた頭体(５)とに依って挟着固定するように構成した請求項１または請求項２の何れかに記載の墓石用免震具。
【請求項４】
支柱(１)の下端寄りに、バランス用環状重り(２)の衝突力緩和のための緩衝材(７)を取付けて成る請求項１乃至請求項３の何れかに記載の墓石用免震具。
【発明の詳細な説明】
【技術分野】
【０００１】
本発明は、地震発生時に倒壊を防止するための墓石用免震具に関する。
【背景技術】
【０００２】
墓石とは、通常、最下位に位置して土台的役割を担う芝台の上に、中台、上台と称される台板状の石を重ね合わせ、その上に、竿石と称される縦長立方体状の石材を立てた状態で載置して成るものである。  従って、前記竿石は特に倒れ易く、強い地震発生時には倒壊事故を招いてしまうことを余儀なくされた。
【０００３】
従来、このような事態発生を防止するための手段として、石材の各部を一括して連結するボルトを収装しておくようにしたものがある（例えば、特許文献１参照。）。  そして、これ以外の手段として、縦長立方体状を呈しているため最も倒れ易い部分である竿石の下端面を、台板状の石に対して嵌め込み連結を図るように構成したものがある（例えば、特許文献２参照。）。
【先行技術文献】
【特許文献】
【０００４】
【特許文献１】特開平９−１３７６３８号公報
【特許文献２】特開２００６−１５２０９０号公報
【発明の概要】
【発明が解決しようとする課題】
【０００５】
上述したような従来の手段は、何れも耐震手段に属し、倒れないように補強すると言う観点に基づくものである。  そして、何れの手段も、墓石の製作時に対応しておくものであり、既存の墓石に対する実施は殆ど不可能とされ、また、可能としても費用が掛かり過ぎてしまうものである。
【０００６】
本発明は上記のような問題点の解消化を企図したものである。  そして、耐震と言うよりも、震動を逃がしてやる免震的なものとすると共に、既存の墓石に対しても簡単に取り付けることが出来るような形態とした「墓石用免震具」と言う新規製品の提供を図ったものである。
【課題を解決するための手段】
【０００７】
本発明は請求項１に記載のように、平面真円状を呈するバランス用環状重り２の中心部に、所要高さを具えた支柱１を位置させると共に、当該バランス用環状重り２を、当該支柱１の上端に取付けた３本以上の所要吊り線３を介して、平面上無指向的振れ動きが可能化されるように等角度の位置において吊設して成り、当該支柱１は墓石の竿石Aの頂面中心部に固定されるように構成した墓石用免震具に係る。
【０００８】
本発明は請求項２に記載のように、支柱１の下端に取付用座盤１aを連設すると共に、当該取付用座盤1aを墓石の竿石Aの頂面中心部に対して接着する様に構成した請求項１に記載の墓石用免震具を実施の態様とする。
【０００９】
本発明は請求項３に記載のように、止めリング４に対して前記吊り線３の基端を等間隔で取り付け、当該止めリング４は支柱１の上端に嵌着すると共に、支柱１の上端寄りに嵌着した滑り止め用ゴム製パイプ材６と、支柱1の上端に取付けた頭体５とに依って挟着固定するように構成した請求項１または請求項２の何れかに記載の墓石用免震具を実施の態様とする。
【００１０】
本発明は請求項４に記載のように、支柱１の下端寄りに、バランス用環状重り２の衝突力緩和のための緩衝材７を取付けて成る請求項１乃至請求項３の何れかに記載の墓石用免震具を実施の態様とする。
【発明の効果】
【００１１】
本発明は請求項１に記載のような構成、すなわち、平面真円状を呈するバランス用環状重り２の中心部に、所要高さを具えた支柱１を位置させると共に、当該バランス用環状重り２を、当該支柱１の上端に取付けた３本以上の所要吊り線３を介して、平面上無指向的振れ動きが可能化されるように等角度の位置において吊設して成り、当該支柱１は墓石の竿石Aの頂面中心部に固定されるように構成したから、地震により竿石Aが図１に矢印で示す方向に傾いた際は、慣性の法則に基づきバランス用環状重り２には、これと反対方向に動かすような反力が生じ、そのため、当該重り２は同図に矢印で示す方向に振れ動くこととなる。  バランス用環状重り４は、このような地震の震動と常に逆方向の揺れ動きが生じ、これが竿石３に対する倒伏を阻止するような反力として加わり、竿石３に対する免震的作用が奏される。
【００１２】
本発明は請求項２に記載のような構成、すなわち、支柱１の下端に取付用座盤1aを連設すると共に、当該取付用座盤1aを墓石の竿石Aの頂面中心部に対して接着する様に構成したから、既存の墓石に対する本発明の実施が著しく容易に達成される。
【００１３】
本発明は請求項３に記載のような構成、すなわち、止めリング４に対して前記吊り線３の基端を等間隔で取り付け、当該止めリング４は支柱１の上端に嵌着すると共に、支柱１の上端寄りに嵌着した滑り止め用ゴム製パイプ材６と、支柱1の上端に取付けた頭体５とに依って挟着固定するように構成したから、吊り線３の基端部固定が極めて確固たるものとされ、従って、これに吊設されているバランス用環状重り４の安定的搖動が図られる。
【００１４】
本発明は請求項４に記載のような構成、すなわち、支柱１の下端寄りに、バランス用環状重り２の衝突力緩和のための緩衝材７を取付けるように構成したから、バランス用環状重り２が大きく傾いた際、その周縁部が支柱１に接し、これ以上の搖動を阻止すると言うようなストッパー的作用が奏される。  これにより、想定以上の強い地震が発生した場合に、バランス用環状重り２自体が大きく振れた際、当該緩衝材７に当たってそのストッパー的作用が奏されることとなる
【図面の簡単な説明】
【００１５】
【図１】本発明の要部を表した一部切欠正面図である。
【図２】本発明の要部を表した正面図である。
【図３】図１におけるX−X線断面図である。
【図４】本発明の作動を示す説明用略図である。
【図５】本発明の作動を示す説明用略図である。
【発明を実施するための形態】
【００１６】
図１乃至図３は本発明の実施例を表したものである。  同図において、Aは墓石の竿石であって、本発明は当該竿石Aの頂面に取付けることに依って、墓石に対する免震機能の付与を成すものである。  なお、その取付け手段は、原則として接着剤の塗布に依存することに依り、既存の墓石に対する取付けが簡便に達成される。  然し乍、当該取付け上の限定性は無く、螺子止め手段、埋め込み手段等適宜なものであって可とする。
【００１７】
１は所要高さを具えた支柱であって、竿石Aの頂面中心部に立設するためのものであり、その下端には取付用座盤１aが連設してある。  ２は平面ドーナッツを呈するバランス用環状重りであって、上記支柱１の上端に対して平面上無指向的振れ動きが可能化されるように吊設してある。  ３は当該バランス用環状重り２に対する吊設用の吊り線であって、所要本数から成り、鎖、ワイヤー、コイルスプリンのようなライン状連結材を用いている。
【００１８】
上記したバランス用環状重り２は、石材、コンクリート、鉄材等、重量性を具えた材料で製したものである。  そして、立体的形状には限定性は存在しないが、平面形状においては、これを真円とするように、中心点から周縁に向かう重量バランスが平面上無指向性(同一バランス)を具えた形状とすることを絶対的要件とする。
【００１９】
上記構成に基づき、バランス用環状重り２は、地震が発生した際に生じる墓石(竿石A)の揺れ動きに連動し、その逆の方向に揺れ動くような搖動運動、換言すると地震の震動の方向に対してその逆の方向に同期させた搖動運動が行われる。
【００２０】
すなわち、上述したような作動は、地震により竿石Aが図１に矢印で示す方向に傾いた際、慣性の法則に基づきバランス用環状重り２には、これと反対方向に揺れ動かすような反力が生じ、そのため、当該重り２は同図に矢印で示す方向に振れ動くこととなる。換言すると、バランス用環状重り２は、このような地震の震動と常に逆方向の揺れ動きが生じ、これが竿石Aに対する倒伏を阻止するような引き起こし力として作用し、竿石Aひいては墓石全体に対する免震的効果が奏される。
【００２１】
４は前記吊り線３の基端を等間隔で取り付けた止めリングであって、支柱１の上端に嵌着すると共に、支柱１の上端に取付けた頭体５に依ってその固定化が図られるように構成してある。  また、当該吊り線３の先端は、バランス用環状重り２の内周縁に対して等間隔(等角度)で連結することに依って、当該バランス用環状重り２を水平状態にしてかつ平面上無指向的に搖動可能とするように吊り下げてある。  なお、当該吊り線３は等間隔にして３本以上であれば良いが、この本数を増やすことに依り、平面的振れ角度に関する無指向性の緻密性が高められる。  図示の実施例にあっては当該吊り線３を６本としてあるが、これは一つの実施例を表したに過ぎない。
【００２２】
なお、支柱１の高さ、バランス用環状重り２の重量、吊り線３の長さ及び本数は、取付け対象とする竿石Aの大きさ等によって異なってくるため、これらは必要に応じて適宜設定する。  また、バランス用環状重り２の正面等に家紋を設けるようにして実施する場合もある。
【００２３】
６は支柱１の上端寄りに嵌着した滑り止め用ゴム製パイプ材であって、止めリング４との接触力を強めて、当該止めリング４がバランス用環状重り２の揺れ動きに引っ張られて回転移動してしまことを防止するためのものである。    
【００２４】
７は支柱１の下端寄りに取付けた緩衝材であって、バランス用環状重り２が激しく振れた際に、支柱１に対する衝突力を緩和するためのものである。
【００２５】
本発明は主として既存の墓石に対して装着して使用に供する。  地震発生時の墓石は、通常、真っ先にその竿石Aが揺れ動き倒壊してしまう。  これに対して本発明を装着した場合、そのバランス用環状重り２が竿石A(墓石)の震動と反対方向へ振動して(図４及び図５参照)、その反力に基づき地震の震動に対す竿石Aの傾動を最小化すると言うような免震作用が奏される。
【符号の説明】
【００２６】
A    竿石
１    支柱
1a    取付用座盤
２    バランス用環状重り
３    吊り線
４    止めリング
５    頭体
６    ゴム製パイプ材
７    緩衝材
【図１】
0005930191.tif 000002
【図２】
0005930191.tif 000003
【図３】
0005930191.tif 000004
【図４】
0005930191.tif 000005
【図５】
0005930191.tif 000006